(57)【要約】【目的】魚が生きた水性動物だと勘違いしてルアーに食い付く頻度を高めることができる釣り用ルアーを提供する。また、一つのルアーを、水中深くに潜行させるルアー、水面直下を水面と略平行に移動するルアー、水中直下を移動しながら水上に飛沫を上げられるルアー、又は水中の深くに位置するルアーとして任意に選択的に使用することができる釣り用ルアーを提供する。【構成】ルアー本体に水の流動方向と直交する面の面積が前端部側から後端部側に向かうに従って小さくなるような貫通穴を形成すると共に、ウォブリング若しくは潜行用の水受け板、飛沫を上げるための水受けカップ、ルアー本体の移動方向における前方又は中央部分に錘を配置するためのアタッチメントを、ルアー本体に着脱自在に装着可能とした釣り用ルアーである。【選択図】    図１Ａ
2014150732.tif 000002
【特許請求の範囲】
【請求項１】
イカやエビなどの水性動物を模したルアー本体であって、自らに取り付けられた釣り糸を介して水中を移動するルアー本体と、
前記ルアー本体内において前記移動の方向における前方部分と同後方部分との間を貫通するように形成されており、前記前方部分の導入口から周囲の水を取り込んで前記後方部分の排出口から水流を後方に排出する第１貫通穴であって、その中を流れる水の流動方向と直交する面の面積が前記前方部分から前記後方部分に向かうに従って小さくなるように形成されている第１貫通穴と、
を備えたことを特徴とする釣り用ルアー。
【請求項２】
イカやエビなどの水性動物を模したルアー本体であって、自らに取り付けられた釣り糸を介して水中を移動するルアー本体と、
前記ルアー本体内において前記移動の方向における前方部分と同後方部分との間を貫通するように形成されており、前記前方部分の導入口から周囲の水を取り込んで前記後方部分の排出口から水流を後方に排出する第１貫通穴であって、その中を流れる水の流動方向と直交する面の面積が前記前方部分から前記後方部分に向かうに従って小さくなるように形成されている第１貫通穴と、
前記ルアー本体が釣り糸を介して移動されるときに前記ルアー本体を揺らす若しくはウォブリングさせるため若しくは潜行させるために水を受ける水受け板、前記ルアー本体が釣り糸を介して移動されるときに水上に飛沫を上げるために水を受ける水受けカップ、又はルアー本体の移動方向における前方又は中央部分に錘を配置するためのアタッチメントを、ルアー本体に着脱自在に装着するための取付部又は取付面であって、前記第１貫通穴の前方部分から挿入されて前記第１貫通穴を通過した「前記の水受け板、水受けカップ又はアタッチメントの、それがルアー本体に装着されて水中を移動するときのその移動方向における後端もしくはその近傍部分又はそれに固定された部材」を取り付ける取付部又は取付面と、
を備えたことを特徴とする釣り用ルアー。
【請求項３】
請求項２において、
前記取付部又は取付面は、前記の水受け板、水受けカップ又はアタッチメントの前記部分若しくはそれに固定された部材に形成された鉤部を係止可能な係止部又は係止面であることを特徴とする釣り用ルアー。
【請求項４】
請求項２又は３において、
前記水受け板には、それがルアー本体に装着されてルアー本体と共に水中を移動されるときのその移動方向における前方部分と後方部分との間を貫通する第２貫通穴が形成されており、
前記水受け板は、少なくともその第２貫通穴の後方部分側（排出側）がルアー本体内の第１貫通穴内に位置するように、ルアー本体に着脱自在に取り付けられることを特徴とする釣り用ルアー。
【請求項５】
請求項４において、前記第２貫通穴は、前記水受け板が前記ルアー本体に取り付けられたときの前記第２貫通穴の中を流れる水の流動方向と直交する面の面積が前記流動方向の前方から後方へ向かうに従って小さくなるように、形成されていることを特徴とする釣り用ルアー。
【発明の詳細な説明】
【技術分野】
【０００１】
本発明はイカやエビや小魚などの水性動物を模したルアー（疑似餌）に関する。
【背景技術】
【０００２】
従来より、イカなどの水性動物の形状を模したルアー、例えば図６に示すようなルアーにおいては、ルアー本体（ボディ）１０１の後端部１０１ａに複数本の細長いゴム製紐１０２（例えばラバースカートなどと呼ばれるもの）が取り付けられる場合がある。これらの複数本の各ゴム製紐１０２は、それぞれが水流を受けて揺らぐ又は棚引くように形成されているので、ルアー本体１０１が釣り糸１００（取付リングであるスナップ１０３を介してルアー本体１０１に取り付けられている）で引かれて水中を例えば矢印Ａ方向に移動すると、前記各ゴム製紐１０２は水流を受けて揺らめき又は棚引くようになる。すると、魚は、このような揺らめき又は棚引く前記各ゴム製紐１０２とそれを有する前記ルアー本体１０１を生きた水性動物だと勘違いし、これら（釣り針１０４を含む）に食い付き釣り上げられる。
【０００３】
また、従来より、水性動物の形状を模したルアー、例えば図７に示すようなルアーにおいては、ルアー本体１１１の前方側の下部に略板状のリップ１１２が前方斜め下側に向けて突設されている。そのため、例えばルアー本体１１１が釣り糸１００（スナップ１０３を介してルアー本体１１１に取り付けられている）で引かれて水中を例えば矢印Ａ方向に移動すると、前記リップ１１２が水圧を受け水の抵抗でルアー本体１１１が揺らぎ（ウォブリングし）且つ潜行（潜水）する。前記リップ１１２が大きいほどより多くの水圧を受けるのでルアー本体１１１をより深く潜行させることができる。
【先行技術文献】
【特許文献】
【０００４】
【特許文献１】特開２０１２−９５５７９号公報
【発明の概要】
【発明が解決しようとする課題】
【０００５】
しかしながら、前述したような各ゴム製紐１０２（ラバースカートなどと呼ばれるものを含む）がルアー本体１０１の後端部１０１ａに備えられている従来のルアーにおいては、前記各ゴム製紐１０２の動作は、単にルアー本体が移動するときの周囲の水との抵抗に応じて揺らめき又は棚引くだけなので、揺らめき又は棚引く程度が少なく単調なものに止まり、その結果として、魚が生きた水性動物だと勘違いしてルアーに食い付く頻度が少ないという問題があった。
【０００６】
また、前述したようなルアー本体１１１の前方側の下部に略板状のリップ１１２が前方斜め下方に向けて突設されている従来のルアーにおいては、略板状のリップ１１２がルアー本体１１１に固定されているため、常に水中深くに潜行させるルアーとして使用するしかなく、例えば水面直下を水面と略平行に移動させるルアーとしては使用することができなかった。すなわち、従来のルアーにおいては、略板状のリップ１１２が固定されているかどうかにより、常に水中深くに潜行させるルアーとして使用するか、常に水中深くに潜行させる用途以外のルアー（例えば水面直下を水面と略平行に移動させるルアー）として使用するかの使用しかできなかった。
【０００７】
また、従来より、ルアー本体に対して（前記略板状のリップ１１２の代わりに）略カップ状部材を固定したものも知られている。このようなルアーを水面付近で移動させると、前記略カップ状部材が水を受けて飛沫が水面上に巻き上がるため、魚が本物の水生生物だと勘違いしてルアーへの魚の食い付きが良くなる。しかし、従来はこのような略カップ状部材はルアー本体に固定されていたため、このような略カップ状部材付きのルアーは水面付近で飛沫を上げながら移動させる用途にしか使えなかった。
【０００８】
本発明はこのような従来技術の問題点に着目してなされたものであって、魚が生きた水性動物だと勘違いして、特に生きたイカやタコなどが水を強く吐き出しながら高速で逃げていると勘違いして、ルアーに食い付く頻度を高めることができる釣り用ルアーを提供することを目的とする。
【０００９】
また、本発明は、一つのルアーを、水中深くに潜行させるルアーとしてだけでなく、水中深くに潜行させる用途以外のルアーとしても選択的に使用できるようにした釣り用ルアーを提供することをも目的とする。
【００１０】
さらに、本発明は、一つのルアーを、水中深くに潜行させるルアーとしてだけでなく、水面直下を水面と略平行に移動させるルアーや水面付近を水上に飛沫を上げながら移動するルアーや水中の深くに位置するルアーなどとしても、選択的に使用できるようにした釣り用ルアーを提供することをも目的とする。
【課題を解決するための手段】
【００１１】
以上のような課題を解決するための本発明による釣り用ルアーは、イカやエビなどの水性動物を模したルアー本体であって、自らに取り付けられた釣り糸を介して水中を移動するルアー本体と、前記ルアー本体内において前記移動方向における前方部分と同後方部分との間を貫通するように形成されており、前記前方部分の導入口から周囲の水を取り込んで前記後方部分の排出口から水流を後方に向けて排出する第１貫通穴であって、その中を流れる水の流動方向と直交する面の面積が前記前方部分から前記後方部分に向かうに従って小さくなるように形成されている第１貫通穴と、を備えたことを特徴とするものである。
【００１２】
また、本発明による釣り用ルアーは、イカやエビなどの水性動物を模したルアー本体であって、自らに取り付けられた釣り糸を介して水中を移動するルアー本体と、前記ルアー本体内において前記移動方向における前方部分と同後方部分との間を貫通するように形成されており、前記前方部分の導入口から周囲の水を取り込んで前記後方部分の排出口から水流を前記揺らめき部に向けて排出する第１貫通穴であって、その中を流れる水の流動方向と直交する面の面積が前記前方部分から前記後方部分に向かうに従って小さくなるように形成されている第１貫通穴と、前記ルアー本体が釣り糸を介して移動されるときに前記ルアー本体を揺らす若しくはウォブリングさせるため若しくは潜行させるために水を受ける水受け板、前記ルアー本体が釣り糸を介して移動されるときに水上に飛沫を上げるために水を受ける水受けカップ、又はルアー本体の移動方向における前方又は中央部分に錘を配置するためのアタッチメントをルアー本体に着脱自在に装着するための取付部又は取付面であって、前記第１貫通穴の前方部分から挿入されて前記第１貫通穴を通過した「前記水受け板、水受けカップ又はアタッチメントの、それがルアー本体に装着されたときのそのルアー本体の移動方向と反対側の部分若しくはそれに固定された部材」を係止する取付部又は取付面と、を備えたことを特徴とするものである。
【００１３】
また、本発明による釣り用ルアーにおいては、前記取付部又は取付面は、前記水受け板、水受けカップ又はアタッチメントの前記部分若しくはそれに固定された部材に形成された鉤部を係止可能な係止部又は係止面であってもよい。
【００１４】
さらに、本発明による釣り用ルアーにおいては、前記水受け板には、それがルアー本体に装着されてルアー本体と共に水中を移動されるときのその移動方向における前方部分と後方部分との間を貫通する第２貫通穴が形成されており、前記水受け板は、少なくともその第２貫通穴の後方部分側（排出側）がルアー本体内の第１貫通穴内に位置するように、ルアー本体に着脱自在に取り付けられるものであってもよい。
【００１５】
また、さらに、本発明による釣り用ルアーにおいては、前記水受け板に形成された第２貫通穴は、前記水受け板が前記ルアー本体に取り付けられたとき、前記第２貫通穴の中を流れる水の流動方向と直交する面の面積が前記流動方向の前方から後方へ向かうに従って小さくなるように、形成されていることが望ましい。
【発明の効果】
【００１６】
本発明による釣り用ルアーにおいては、ルアー本体に移動方向に沿う貫通穴を形成し、この貫通穴はその中を流れる水の流動方向と直交する面の面積が前方部分（導入口側）から後方部分（排出口側）に向かうに従って小さくなるように形成したので、前方の導入口から取り込まれた水は貫通穴を移動する過程で流速が高められ、後方の排出口からは高速の水流として勢い良く噴出するようになる。ところで、タコは普段は足を使って、イカは普段は耳を使ってゆっくりと泳いでいるが、魚から逃げるときだけは水を勢い良く吐いて高速で逃げるので、もしルアー本体が水を勢い良く吐いている場合、魚がそのルアー本体を見たら、本物の生きたタコやイカなどが高速で逃げていると勘違いすることになる。よって、本発明によれば、ルアー本体が水中を移動するとき、前記貫通穴の排出口から、水流が勢い良く噴出するので、魚が、生きたタコやイカなどが水を強く吐き出しながら逃げていると勘違いして、ルアーに食い付く頻度が、大幅に高められるようになる。
【００１７】
また、本発明において、前記水受け板（ルアー本体を揺らす若しくはウォブリングさせるため若しくは潜行させるために水を受けるもの）、水受けカップ（水上に飛沫を上げるために水を受けるもの）、又は「ルアー本体の移動方向における前方又は中央部分に錘（ルアー本体を水中の深い場所に位置させるためのもの）を配置するためのアタッチメント」の一部又はそれに固定された部材を、前記ルアー本体に着脱自在に取り付けられるようにしたときは、一つのルアーを、「水面直下を水面と略平行に移動するルアー、水中深くに潜行するルアー、水面付近を移動しながら水上に飛沫を上げられるルアー、及び、水中の深い場所に位置するルアー」のいずれのルアーとしても、ユーザーが任意に使い分けできるようになる。すなわち、従来は、一つのルアーを、「リップ又はカップを有しないルアー、リップを有するルアー、カップを有するルアー、及び、ルアー本体の移動方向における前方又は中央部分に錘を有するルアー」のいずれかにユーザーの希望で随時使い分ける（一つのルアーを複数の機能を有するルアーとして使い分ける）ことができなかったが、本発明によればそのような使用方法が可能になる。
【００１８】
また、特に、本発明においては、前述のように、前記貫通穴が、その前方部分（導入口）から後方部分（排出口）に近づくに従ってルアー本体の移動方向と直交する断面積が小さくなるように形成されており、前記貫通穴の中で前方部分（導入口）が最も大きく形成するようにしたので、「前記の水受け板、水受けカップ又はアタッチメントの、それがルアー本体に装着されて水中を移動するときのその移動方向における後端もしくはその近傍部分又はそれに固定された部材」を前記貫通穴の前方部分（導入口）から挿入することを、極めて容易に且つスムーズに行うことができる。
【００１９】
また、本発明において、前記の水受け板、水受けカップ、又はアタッチメントの一部又はそれに固定された部材に鉤部を形成すると共に、ルアー本体に前記鉤部を係止可能な係止部を備えるようにしたときは、ユーザーは、一つのルアーを、水中深くに潜行するルアーとして、又は水面直下を水面と略平行に移動するルアーや水面付近を移動しながら水上に飛沫を上げられるルアーとして、又は水中の深い場所に位置するルアーなどとして使い分けたいとき、そのための切り替えを容易に素早く行えるようになる。
【００２０】
さらに、本発明において、前記水受け板に前述のような第２貫通穴を形成するようにしたときは、前記水受け板をルアー本体に装着した場合でも、前記水受け板の第２貫通穴及び前記ルアー本体の第１貫通穴を介して水流を後方に吐出させたり、その吐出する水流を揺らめき部に供給して前記揺らめき部を揺らめかせ棚引かせたりすることができる。
【００２１】
また、さらに、本発明において、前記水受け板に形成された第２貫通穴を、前記水受け板が前記ルアー本体に取り付けられたときに前記第２貫通穴の中を流れる水の流動方向と直交する面の面積が前記流動方向の前方から後方へ向かうに従って小さくなるように形成するようにしたときは、前記水受け板をルアー本体に装着した場合でも、前記水受け板の第２貫通穴及び前記ルアー本体の第１貫通穴を介して水流を後方に勢い良く噴出させて魚に生きたタコやイカなどが水を強く吐き出しながら逃げていると勘違いさせたり、その噴出する水流を揺らめき部に供給して前記揺らめき部を大きく揺らめかせ棚引かせたりすることができる。
【図面の簡単な説明】
【００２２】
【図１Ａ】（ａ）は本発明の実施形態に係るイカ形の釣り用ルアー（揺らめき部を備えていない状態）を示す側面図、（ｂ）は本実施形態をルアー本体の下側（水中で移動させているときの下側）から見たときの図である。
【図１Ｂ】（ａ）は本発明の実施形態に係る、揺らめき部を装着したときの、イカ形の釣り用ルアーを示す側面図、（ｂ）は本実施形態をルアー本体の下側（水中で移動させているときの下側）から見たときの図である。
【図２】（ａ）及び（ｂ）はそれぞれ本実施形態をルアー本体の下側（水中で移動させているときの下側）から見たときの斜視図である。
【図３】（ａ）は本実施形態において使用されるリップを示す斜視図、（ｂ）はその側面図、（ｃ）はその平面図である。
【図４】（ａ）は本実施形態においてリップを取り付けたときの状態を示す模式図、（ｂ）は本実施形態においてリップを取り付けたルアーの動作を説明するための図である。
【図５】（ａ）は本実施形態において使用されるカップを示す平面図、（ｂ）はその側面図、（ｃ）は本実施形態においてカップを取り付けたルアーの動作を説明するための図である。
【図６】従来のルアーの一例を示す図である。
【図７】従来のルアーの他の一例を示す図である。
【発明を実施するための形態】
【００２３】
以下、本発明の実施形態を図面を用いて説明する。図１Ａ（ａ）は本実施形態に係るイカ形の釣り用ルアーを示す側面図、図１Ａ（ｂ）は本実施形態をルアー本体の下側（水中で移動させているときの下側）から見たときの図である。
【００２４】
図１Ａにおいて、１はルアー本体、１ａはルアー本体１の移動方向における前方の前端部（釣り糸１００を取り付けるスナップ１０３が備えられている）、１ｂはルアー本体の移動方向における後方の後端部、３は前記スナップ１０３に一端が固定され他端がルアー本体１の挿通穴６（後述）を通過して前記ルアー本体１の後端部１ｂから出ている糸、４は前記糸３の他端に取り付けられた釣り針、５は前記ルアー本体１の底部に取り付けられた釣り針である。
【００２５】
本実施形態においては、ルアー本体１の図示上面近くの部分に、ルアー本体１が釣り糸１００に引っ張られて水中を移動する方向に延びる細い挿通穴６が形成されている。そして、前記紐状部２及び釣り針４が取り付けられた糸３は、この細い挿通穴６内を挿通されており、その一端（前記釣り針４が取り付けられた側と反対側の端部）が、前記釣り糸１００が取り付けられたスナップ（取付けリング）１０３に取付けられている。
【００２６】
また、本実施形態においては、前記ルアー本体１の中央部分に、ルアー本体１が釣り糸１００に引っ張られて水中を移動する方向（矢印Ａ方向）に延びる貫通穴７が形成されている。この貫通穴７は、ルアー本体１の前端部１ａに形成され周囲の水を取り込む導入口７ａと、ルアー本体１の後端部１ｂに形成され内部の水を排出する排出口７ｂとを含んでいる。また、前記貫通穴７は、図示のように、前記導入口７ａから排出口７ｂに近づくに従って徐々にその前記ルアー本体１の移動方向と直交する断面積が小さくなるように形成されている。
【００２７】
以上のように構成されているので、本実施形態においては、ルアー本体１が釣り糸１００で矢印Ａ方向に引っ張られて水中を移動すると、周囲の水が前記導入口７ａから取り込まれ（矢印Ｂ１参照）、導入された水はルアー本体１の移動方向と反対方向に前記貫通穴７内を流動する（矢印Ｂ２参照）。このとき、前述のように前記貫通穴７は導入口７ａから排出口７ｂに近づくに従って徐々に断面積が小さくなるように形成されているので、貫通穴７内の水は導入口７ａから排出口７ｂの方向に流動して行くに従って徐々に流速が大きくなり、排出口７ｂからは高速の水流が後方に向かって勢い良く噴出する（矢印Ｂ３参照）。このように、前記排出口７ｂから勢い良く水流を噴出しながら水中を移動するイカ形ルアーは、水を勢い良く吐き出しながら高速で逃げるイカと酷似しているので、それを見た魚は、ルアー本体を生きたイカが高速で逃げていると勘違いして、前記ルアーに確実に食い付くようになる。
【００２８】
次に、図１Ｂ（ａ）は本実施形態に係る、揺らめき部を装着したときの、イカ形の釣り用ルアーを示す側面図、図１Ｂ（ｂ）は本実施形態をルアー本体の下側（水中で移動させているときの下側）から見たときの図、図２（ａ）及び（ｂ）はそれぞれ本実施形態をルアー本体の下側（水中で移動させているときの下側）から見たときの斜視図である。
【００２９】
図１Ｂ，図２において、１はルアー本体、１ａはルアー本体１の移動方向における前方の前端部（釣り糸１００を取り付けるスナップ１０３が備えられている）、１ｂはルアー本体の移動方向における後方の後端部、２は前記ルアー本体１の後端部１ｂに糸３を介して取り付けられた紐状部（複数のゴム製紐により構成されるもので、本発明の揺らめき部に対応する）、４は前記糸３の端部に取り付けられた釣り針、５は前記ルアー本体１の底部に取り付けられた釣り針である。
【００３０】
本実施形態においては、ルアー本体１の図示上面近くの部分に、ルアー本体１が釣り糸１００に引っ張られて水中を移動する方向に延びる細い挿通穴６が形成されている。そして、前記紐状部２及び釣り針４が取り付けられた糸３は、この細い挿通穴６内を挿通されており、その他端（前記釣り針４が取り付けられた側と反対側の端部）が、前記釣り糸１００が取り付けられたスナップ（取付けリング）１０３に取付けられている。
【００３１】
また、本実施形態においては、前記ルアー本体１の中央部分に、ルアー本体１が釣り糸１００に引っ張られて水中を移動する方向（矢印Ａ方向）に延びる貫通穴７が形成されている。この貫通穴７は、ルアー本体１の前端部１ａに形成され周囲の水を取り込む導入口７ａと、ルアー本体１の後端部１ｂに形成され内部の水を排出する排出口７ｂとを含んでいる。また、前記貫通穴７は、図示のように、前記導入口７ａから排出口７ｂに近づくに従って徐々にその前記ルアー本体１の移動方向と直交する断面積が小さくなるように形成されている。
【００３２】
以上のように構成されているので、本実施形態においては、ルアー本体１が釣り糸１００で矢印Ａ方向に引っ張られて水中を移動すると、周囲の水が前記導入口７ａから取り込まれ（矢印Ｂ１参照）、導入された水はルアー本体１の移動方向と反対方向に前記貫通穴７内を流動する（矢印Ｂ２参照）。このとき、前述のように前記貫通穴７は導入口７ａから排出口７ｂに近づくに従って徐々に断面積が小さくなるように形成されているので、貫通穴７内の水は導入口７ａから排出口７ｂの方向に流動して行くに従って徐々に流速が大きくなり、排出口７ｂからは高速の水流が勢い良く噴出する（矢印Ｂ３参照）。この排出口７ｂから噴出した水流は、排出口７ｂ近傍（後端部１ｂ近傍）に配置されている前記紐状部２に当たり、その結果、前記紐状部２を構成する複数のゴム製紐２が大きく複雑に揺らぎ棚引くようになる。このようにして前記紐状部２が大きく複雑に揺らぎ棚引く結果として、魚がこのような紐状部２を有するルアー本体１を生きたイカと勘違いしてルアーに食い付くようになる。
【００３３】
次に、図３（ａ）は本実施形態において使用するリップ（水受け板）１１を示す斜視図、同（ｂ）はその側面図、同（ｃ）はその平面図である。図３に示すように、このリップ１１は、ルアー本体１が水中を移動するときルアー本体１の前端部１ａ近傍に配置され装着されて水圧を受ける水受け面１１ｂを有する水受け部１１ａと、ルアー本体１の前記貫通穴７内に挿通される２本の細長い挿通脚部１１ｃと、前記各挿通脚部１１ｃの先端にそれぞれ形成された鉤部１１ｄとを含んでいる。
【００３４】
また、このリップ１１には、前記水受け面１１ｂの図示上方部分に形成された導入口１２ａと前記２つの挿入脚部１１ｃ基部（リップ１１本体側の部分）に形成された排出口１２ｂとを結ぶ貫通穴１２が形成されている。この貫通穴１２は、詳しくは後述するが、図１Ｂ，図２などで説明したルアー本体１の貫通穴７に前記挿入脚部１１ｃが挿入された状態でも、前記導入口１２ａから周囲の水を取り込み、その水を前記貫通穴１２を介して前記排出口１２ｂから前記ルアー本体１の貫通穴７を介してルアー本体１の後方（貫通穴７の排出口７ｂ）から水中に排出してルアー本体１を「水を吐き出しながら逃げている生きたイカ・タコ」だと魚に勘違いさせるために、あるいは前記ルアー本体１の貫通穴７を介して前記貫通穴７の排出口７ｂから前記紐状部２に向けて排出・供給して前記紐状部２を揺らめかせ棚引かせるために、形成されている。なお、図３において、１３は、リップ１１がルアー本体１から離脱しないように前記ルアー本体１側のスナップ１０３（図１Ｂなど参照）をリップ１１側に取り付けるためのスナップ取付リングである。
【００３５】
また、さらに、本実施形態においては、前記リップ１１に形成された貫通穴１２が、前記リップ１１が前記ルアー本体１に取り付けられたとき、前記貫通穴１２の中を流れる水の流動方向と直交する面の面積が前記ルアー本体１の前方部分から後方部分に向かうに従って小さくなるように形成されている。よって、本実施形態では、前記リップ１１をルアー本体１に装着した場合でも、前記リップ１１の貫通穴１２及び前記ルアー本体１の貫通穴７を介して水流を後方に勢い良く噴出させて、魚に「生きたタコやイカなどが水を強く吐き出しながら逃げている」と勘違いさせたり、あるいは、その噴出する水流を揺らめき部（スカート）２に供給して前記揺らめき部２を大きく揺らめかせ棚引かせたりすることができる。
【００３６】
次に、このリップ１１をルアー本体１に取り付けるときの動作について説明する。本実施形態では、リップ１１をルアー本体１に取り付けるときは、まず、前記リップ１１の２つの挿通脚部１１ｃの先端部（鉤部１１ｄ及びその近傍部分。この先端部は、図３（ａ）に示すように、本来的には互いに所定の距離だけ離れている）が、それらを図３（ａ）の矢印Ｃ１，Ｃ２のように互いに近づけて図３（ｃ）に示すような状態にする。そして、この図３（ｃ）の状態にした先端部（鉤部１１ｄ及びその近傍部分）を、前記ルアー本体１の導入口７ａから前記貫通穴７内に挿入し、さらに前記鉤部１１ｄが前記貫通穴７の排出口７ｂから出るまで挿通させる。
【００３７】
図４（ａ）はこのときの状態を示す模式図である。この状態では、前記鉤部１１ｄは前記排出口７ｂから貫通穴７の外に出て前記排出口７ｂ周辺の部分の壁面（本発明の「係止部又は係止面」に相当する）に当接し係止される（図４（ａ）では２つの鉤部１１ｄが互いに当接しているように見えるが、実際には互いに少しだけ離れている）ので、前記鉤部１１ｄにより前記リップ１１が前記ルアー本体１から離脱することが防止される。なお、このとき、リップ１１の水受け部１１ａの水受け面１１ｂの略中央に取り付けられたスナップ取付リング１３に前記スナップ１０３（ルアー本体１を引っ張る釣り糸１００を取り付ける取付リング）を係止させるようにすれば、より確実に前記リップ１１の前記ルアー本体１からの離脱を防止することができる。
【００３８】
また、もしユーザーが前記リップ１１をルアー本体１から取り外したいときは、前記各鉤部１１ｄを互いに近づけて当接させて（前述のように、図４（ａ）では２つの鉤部１１ｄが互いに当接しているように見えるが、実際には互いに少しだけ離れているので、２つの鉤部１１ｄを図３（ａ）の矢印Ｃ１，Ｃ２に示すように互いに近づけて当接させて）、図３（ｃ）に示す状態にする。そして、その上で、前記排出口７ｂから貫通穴７内に移動させ、その後は前記水受け部１１ａをルアー本体１と離れる方向に引っ張る。このような動作により、容易に取り外すことができる。よって、以上のような構成により、前記リップ１１をルアー本体１に着脱自在に取り付けることが可能になる。
【００３９】
図４（ｂ）は前述のようにしてリップ１１を取り付けたときのルアー本体１の動作を説明するための図である。この場合、釣り糸１００を矢印Ａ方向に引っ張ると、ルアー本体１は前記リップ１１の水受け部１１ａの水受け面１１ｂが水の抵抗を受けるので矢印Ｅのような斜め下方向に潜行して行くようになる（どのくらいの深さまで潜行するかはリップ１１の水受け面１１ｂの面積などにより異なる）。その際、前記リップ１１が水の抵抗を受けることに応じてルアー本体１がフラフラと揺れ動く（ウォブリングする）ので、その複雑な動きを見た魚は、このような動きをするルアー本体１を生きたイカと勘違いしてルアーに食い付くようになる。なお、図４（ａ）において符号Ｗは水面を示している。
【００４０】
次に図５は本実施形態において使用されるカップ１４を示す斜視図である。図５に示すように、このカップ１４は、ルアー本体１が水中を移動するときルアー本体１の前端部１ａ近傍に配置されて水を受ける凹状の水受け面１４ｂを有する水受け部１４ａと、ルアー本体１の前記貫通穴７内に挿通される２本の細長い挿通脚部１４ｃと、前記各挿通脚部１４ｃの端部にそれぞれ形成された鉤部１４ｄとを含んでいる。なお前記カップ１４をルアー本体１に取り付ける方法は前記リップ１１をルアー本体１に取り付ける方法とほぼ同様であるので説明を省略する。
【００４１】
次にカップ１４をルアー本体１に取り付けた状態における動作を図５（ｃ）を参照して説明する。カップ１４を取り付けたルアー本体１を、ルアー本体１とカップ１４とが共に水面付近に位置している状態又は水面から半分くらい浮上している状態で釣り糸１００を矢印Ａ方向に引っ張ると、ルアー本体１が矢印Ａ方向に移動する過程で、前記カップ１４の水受け部１４ａの凹状水受け面１４ｂが水と衝突して水面上に多数の飛沫を発生させる。よって、これらの多数の飛沫を見た魚は、このような飛沫を発生させながら移動するルアー本体１を生きたイカなどと勘違いしてルアーに食い付くようになる。
【００４２】
以上に説明したように、本実施形態においては、ルアー本体１にその移動方向に沿う貫通穴７を形成し、この貫通穴７はその中を流れる水の流動方向と直交する面の面積が前端部１ａ（導入口７ａ）から後端部１ｂ（排出口７ｂ）に近づくに従って徐々に小さくなるように形成したので、前方の導入口７ａから取り込まれた水は貫通穴７を移動する過程で流速が高められ、後方の排出口７ｂからは高速の水流が勢い良く噴出するようになる。よって、本実施形態によれば、ルアー本体１が水中を移動している間、前記貫通穴７の排出口７ｂから、後方に向かって水流が勢い良く吹き出すので、魚が生きたイカなどが水を強く吐いて高速で逃げていると勘違いして、ルアー本体に食い付くようになる。
【００４３】
また、本実施形態では、前記ルアー本体１に紐状部２を取り付けたときは、前記貫通穴７の排出口７ｂから、後方の紐状部２に向かって水流が勢い良く噴出するとき、この水流により前記紐状部２が大きく複雑に揺れ動き棚引くようになり、その結果、魚がこれを生きた水性動物だと勘違いしてルアーに食い付く頻度が大幅に高められるようになる。
【００４４】
また、本実施形態においては、前記リップ１１又はカップ１４の一部（脚部１１ｃ，１４ｃなど）を、前記ルアー本体１に対して着脱自在に取り付けられるようにしている。よって、本実施形態によれば、一つのルアーを、水中深くに潜行するルアー、水面直下を水面と略平行に移動するルアー、及び水面付近を移動しながら水上に飛沫を上げられるルアーなどの様々な用途に使えるルアーとして、ユーザーが任意に使い分けできるようになる。
【００４５】
また、本実施形態においては、前記リップ１１若しくはカップ１４の脚部１１ｃ，１４ｃの端部に鉤部１１ｄ，１４ｄを形成すると共に、前記鉤部１１ｄ，１４ｄを前記貫通穴７内に挿通してから前記ルアー本体１の前記排出口７ｂ周辺の側壁面（本発明における係止部又は係止面に相当する）に係止するようにしたので、ユーザーは、一つのルアーを、水中深くに潜行するルアー、又は水面直下を水面と略平行に移動するルアーや水面付近を移動しながら水上に飛沫を上げられるルアーなどに使い分けたいとき、そのための切り替えを容易に素早く行えるようになる。
【００４６】
また、特に、本実施形態では、前述のように、前記貫通穴７は、その前方の導入口７ａから後方の排出口７ｂに近づくに従ってルアー本体１の移動方向と直交する断面積が小さくなるように形成されており、前記貫通穴７の中では前方の導入口７ａが最も大きく形成されているので、前記リップ１１の２つの挿通脚部１１ｃの先端部（鉤部１１ｄ及びその近傍部分）を前方の導入口７ａから挿入することを、極めて容易に且つスムーズに行うことができる。また、前記リップ１１の２つの挿通脚部１１ｃの先端部（鉤部１１ｄ及びその近傍部分）だけでなく、その他の「水受けカップ又はアタッチメント（ルアー本体の移動方向における前方又は中央部分に錘を配置するためのアタッチメント）の、それがルアー本体に装着されたときのそのルアー本体の移動方向と反対側の部分若しくはそれに固定された部材」についても、前記貫通穴７の前方の導入口７ａから挿入することを、極めて容易に且つスムーズに行うことができる。
【００４７】
また、本実施形態では、図示していないが、「ルアー本体の移動方向における前方又は中央部分に錘を配置するためのアタッチメント」も、前記リップ１１などと同じようにして、ルアー本体１に着脱自在に装着することができる。この「ルアー本体の移動方向における前方又は中央部分に錘を配置するためのアタッチメント」は、例えば、図３のリップ１１の前方（ルアー本体に装着されたときのルアー本体の移動方向における前方）の水受け部１１ａの内部にオモリ（鉛）を内蔵させたもの、又は図３のリップ１１の中央部分（ルアー本体に装着されたときのルアー本体の移動方向における中央部分）の内部にオモリ（鉛）を内蔵させたもの、などにより構成できる。
【００４８】
さらに、本実施形態においては、前記リップ１１の内部にも前記貫通穴１２を形成したので、前記リップ１１をルアー本体１に装着した場合でも前記リップ１１の貫通穴１２及び前記ルアー本体１の貫通穴７を介して水流を後方の紐状部２に供給して紐状部２を揺らめかせ棚引かせることができる。
【００４９】
以上、本発明の一実施形態について説明したが、本発明は前記実施形態として述べたものに限定されるものではなく、様々な修正及び変更が可能である。例えば、前記実施形態では、前記リップ１１又はカップ１４をルアー本体１に係止するために、前記リップ１１又はカップ１４の脚部１１ｃ，１４ｃの先端の鉤部１１ｄ，１４ｄを前記貫通穴７の排出口７ｂの周辺の側壁面に当接させるようにした（前記側壁面を係止部又は係止面として使用した）が、本発明ではこれに限られるものではなく、例えば前記貫通穴又は他の穴の途中の内壁面に互いに対向する２つの凹部（係止部）を形成しておき、前記穴に前記挿通脚部１１ｃ，１４ｃを挿入して、前記穴の前記凹部に前記鉤部１１ｄ，１４ｄを係止するようにしてもよい。あるいは、例えば、前記リップ１１又はカップ１４の一部（例えば挿通脚部１１ｃ，１４ｃ）の外周面に雄ネジを形成すると共にルアー本体１の穴の内周面に雌ネジを形成しておき、前記リップ１１又はカップ１４を前記穴に螺入することにより前記リップ１１又はカップ１４をルアー本体１に螺合（係止・一時的固定）するようにしてもよい。また、図面では示さなかったが、本実施形態においては、前記リップ１１（図３参照）などと同様に、「ルアー本体の移動方向における前方又は中央部分に錘を配置するためのアタッチメント」もルアー本体１に着脱自在に装着することができる。
【符号の説明】
【００５０】
１     ルアー本体
１ａ   前端部
１ｂ   後端部
２     紐状部
３     糸
４     釣り針
６     挿通穴
７     第１貫通穴
７ａ，１２ａ  導入口
７ｂ，１２ｂ  排出口
１１   リップ
１１ａ，１４ａ 水受け部
１１ｂ １４ｂ 水受け面
１１ｃ，１４ｃ 挿通脚部
１１ｄ，１４ｄ      鉤部
１２   第２貫通穴
１３   スナップ取付リング
１４   カップ
１００ 釣り糸
１０３ スナップ
【図１Ａ】
2014150732.tif 000003
【図１Ｂ】
2014150732.tif 000004
【図２】
2014150732.tif 000005
【図３】
2014150732.tif 000006
【図４】
2014150732.tif 000007
【図５】
2014150732.tif 000008
【図６】
2014150732.tif 000009
【図７】
2014150732.tif 000010
【手続補正書】
【提出日】平成25年10月16日(2013.10.16)
【手続補正１】
【補正対象書類名】特許請求の範囲
【補正対象項目名】全文
【補正方法】変更
【補正の内容】
【特許請求の範囲】
【請求項１】
イカやエビなどの水性動物を模したルアー本体であって、自らに取り付けられた釣り糸を介して水中を移動するルアー本体と、
前記ルアー本体内において前記移動の方向における前方部分と同後方部分との間を貫通するように形成されており、前記前方部分の導入口から周囲の水を取り込んで前記後方部分の排出口から水流を後方に排出する第１貫通穴であって、その中を流れる水の流動方向と直交する面の面積が前記前方部分から前記後方部分に向かうに従って小さくなるように形成されている第１貫通穴と、
を備えたことを特徴とする釣り用ルアー。